(57)【要約】【課題】接続部材と電線との接続を容易にすることが可能な接続部材付き多心ケーブルを提供する。【解決手段】接続部材付き多心ケーブル１は、電線３と、電線３の一端側に電気的に接続された中継基板５と、電線３の他端側に電気的に接続された第二接続部材４とを備える。電線３は、信号用電線の一部が並列される第一電線群３０Ａ、信号用電線の他部が並列される第二電線群３０Ｂ、給電用電線の一部の群である第一給電線群３０Ｃ、給電用電線の他部の群である第二給電線群３０Ｄを有する。第一給電線群３０Ｃは、中継基板５の一方の面に第一電線群３０Ａに隣り合うように並列される。第二給電線群３０Ｄは、中継基板５の他方の面に第二電線群３０Ｂに隣り合うように並列される。第一給電線群３０Ｃは、第二接続部材４の一方の面に第二給電線群３０Ｄに隣り合うように並列される。【選択図】図１
2019110048.tif 000002
【特許請求の範囲】
【請求項１】
複数本の電線と、
前記複数本の電線の一端側に電気的に接続された第一接続部材と、
前記複数本の電線の他端側に電気的に接続された第二接続部材と、を備えた接続部材付き多心ケーブルであって、
前記複数本の電線は、複数本の信号用電線と、複数本の給電用電線とを含み、
前記複数本の信号用電線の一部が並列されて第一電線群となり、前記第一接続部材の一方の面に接続され、
前記複数本の信号用電線の他部が並列されて第二電線群となり、前記第一接続部材の他方の面に接続され、
前記第一電線群と前記第二電線群は、前記第二接続部材の一方の面に互いに隣り合うように並列されて接続され、
前記複数本の給電用電線は、前記給電用電線の一部の群である第一給電線群と、前記給電用電線の他部の群である第二給電線群とを有し、
前記第一給電線群は、前記第一接続部材の前記一方の面に、前記第一電線群に隣り合うように並列されて接続され、
前記第二給電線群は、前記第一接続部材の前記他方の面に、前記第二電線群に隣り合うように並列されて接続され、
前記第一給電線群は、前記第二接続部材の前記一方の面に、前記第二給電線群に隣り合うように並列されて接続されている、
接続部材付き多心ケーブル。
【請求項２】
前記第一給電線群及び前記第二給電線群は、前記第一接続部材に対して、前記複数本の電線の並列方向における同じ側に接続され、
前記第一給電線群と前記第二給電線群は、前記第二接続部材に対して、前記第一電線群または前記第二電線群とは交差せずに接続されている、
請求項１に記載の接続部材付き多心ケーブル。
【請求項３】
前記第一電線群において、二対の高速信号用電線及び少なくとも１本の低速信号用電線が含まれ、
前記低速信号用電線は絶縁電線であり、
前記二対の高速信号用電線の間に前記絶縁電線を挟むように、各電線が並列されている、
請求項１または請求項２に記載の接続部材付き多心ケーブル。
【請求項４】
前記第二電線群において、二対の高速信号用電線及び少なくとも１本の低速信号用電線が含まれ、
前記低速信号用電線は絶縁電線であり、
前記二対の高速信号等電線の間に前記絶縁電線を挟むように、各電線が並列されている、
請求項１から請求項３のいずれか一項に記載の接続部材付き多心ケーブル。
【請求項５】
前記第一接続部材は、
前記複数本の電線の前記一端側に電気的に直接接続された中継基板と、
前記中継基板に電気的に接続されるレセプタクルと、
を含む、請求項１から請求項４のいずれか一項に記載の接続部材付き多心ケーブル。
【発明の詳細な説明】
【技術分野】
【０００１】
本発明は、複数本の電線および当該複数本の電線の両端に取り付けられた接続部材を備えた接続部材付き多心ケーブルに関する。
【背景技術】
【０００２】
特許文献１には、複数本の電線と、電線の両側にそれぞれ設けられる第一コネクタ及び第二コネクタとを備えたコネクタ付きケーブルが開示されている。
【先行技術文献】
【特許文献】
【０００３】
【特許文献１】特開２０１７−６９１５２号公報
【発明の概要】
【発明が解決しようとする課題】
【０００４】
接続部材付き多心ケーブルにおいて、接続部材に電気的に接続される複数本の電線には、高速の信号用電線に加えて、給電用電線が含まれる。この複数本の電線は、接続部材の一面のみに接続される場合もあり、接続部材の両面に接続される場合もある。このような場合に、接続部材と被接続部材との接続を容易にするために、給電用電線と給電用電線以外の電線の配列について改善の余地があった。
【０００５】
本発明は、接続部材と電線との接続を容易にすることが可能な接続部材付き多心ケーブルを提供することを目的とする。
【課題を解決するための手段】
【０００６】
本発明の一態様に係る接続部材付き多心ケーブルは、
複数本の電線と、
前記複数本の電線の一端側に電気的に接続された第一接続部材と、
前記複数本の電線の他端側に電気的に接続された第二接続部材と、を備えた接続部材付き多心ケーブルであって、
前記複数本の電線は、複数本の信号用電線と、複数本の給電用電線とを含み、
前記複数本の信号用電線の一部が並列されて第一電線群となり、前記第一接続部材の一方の面に並列されて接続され、
前記複数本の信号用電線の他部が並列されて第二電線群となり、前記第一接続部材の他方の面に接続され、
前記第一電線群と前記第二電線群は、前記第二接続部材の一方の面に互いに隣り合うように並列されて接続され、
前記複数本の給電用電線は、前記給電用電線の一部の群である第一給電線群と、前記給電用電線の他部の群である第二給電線群とを有し、
前記第一給電線群は、前記第一接続部材の前記一方の面に、前記第一電線群に隣り合うように並列されて接続され、
前記第二給電線群は、前記第一接続部材の前記他方の面に、前記第二電線群に隣り合うように並列されて接続され、
前記第一給電線群は、前記第二接続部材の前記一方の面に、前記第二給電線群に隣り合うように並列されて接続されている。
【発明の効果】
【０００７】
上記によれば、接続部材と被接続部材との接続を容易にすることが可能な接続部材付き多心ケーブルを提供することができる。
【図面の簡単な説明】
【０００８】
【図１】本発明の一態様に係る接続部材付き多心ケーブルの概要を示す斜視図である。
【図２】接続部材における複数本の電線の配列を示す模式図である。
【図３】図１に示す矢視Ａ方向から見た中継基板の模式図である。
【発明を実施するための形態】
【０００９】
〈本発明の実施形態の概要〉
最初に本発明の実施形態を列記して説明する。
本発明の一態様に係る接続部材付き多心ケーブルは、
（１）複数本の電線と、
前記複数本の電線の一端側に電気的に接続された第一接続部材と、
前記複数本の電線の他端側に電気的に接続された第二接続部材と、を備えた接続部材付き多心ケーブルであって、
前記複数本の電線は、複数本の信号用電線と、複数本の給電用電線とを含み、
前記複数本の信号用電線の一部が並列されて第一電線群となり、前記第一接続部材の一方の面に接続され、
前記複数本の信号用電線の他部が並列されて第二電線群となり、前記第一接続部材の他方の面に接続され、
前記第一電線群と前記第二電線群は、前記第二接続部材の一方の面に互いに隣り合うように並列されて接続され、
前記複数本の給電用電線は、前記給電線の一部の群である第一給電線群と、前記給電用電線の他部の群である第二給電線群とを有し、
前記第一給電線群は、前記第一接続部材の前記一方の面に、前記第一電線群に隣り合うように並列されて接続され、
前記第二給電線群は、前記第一接続部材の前記他方の面に、前記第二電線群に隣り合うように並列されて接続され、
前記第一給電線群は、前記第二接続部材の前記一方の面に、前記第二給電線群に隣り合うように並列されて接続されている、
接続部材付き多心ケーブルである。
ここで、本明細書において「隣り合う」とは、電線同士の配列が隣り合うことをいう。「隣り合う」とは、電線同士の間に他の電線が配列されていないことをいい、電線同士が間隔を空けずに配列される場合だけではなく、電線同士が間隔を空けて配列される場合も含まれる。
また、接続部材付き多心ケーブルは、例えば当該接続部材付き多心ケーブルを内部配線として用いる電子機器の内部部材（被接続部材）に電気的に接続される。
上記構成により、接続部材と被接続部材との接続を容易にすることが可能な接続部材付き多心ケーブルを提供することができる。第一接続部材では、両面に接続された電線群が第二接続部材では一方の面に並列されるので各電線が輻輳することがなく、取り回しし易く接続容易である。また、第一給電線群及び第二給電線群を第二接続部材の一方の面に集めて接続することができ、接続作業をしやすくなる。
【００１０】
（２）また、上記（１）に記載の接続部材付き多心ケーブルにおいて、
前記第一給電線群及び前記第二給電線群は、前記第一接続部材に対して、前記複数本の電線の並列方向における同じ側に接続され、
前記第一給電線群と前記第二給電線群は、前記第二接続部材に対して、前記第一電線群または前記第二電線群とは交差せずに接続されていることが好ましい。
上記構成により、第一給電線群及び第二給電線群と第一電線群及び第二電線群とが輻輳しないので、接続部材と電線との接続が容易になる。また、上記構成により、第一給電線群及び第二給電線群から出るノイズが、第一電線群及び第二電線群の信号用電線を伝わる信号に影響しにくい。これにより、良好に信号を伝送することが可能となる。また、第一給電線群及び第二給電線群と第一電線群及び第二電線群とが輻輳しないので、接続部材付き多心ケーブルを作り易くなる。また、第一給電線群と第二給電線群とが交差しないので、接続部材付き多心ケーブルを薄くすることが出来、使い易くなる。
【００１１】
（３）また、上記（１）または（２）に記載の接続部材付き多心ケーブルは、前記第一電線群において、二対の高速信号用電線及び少なくとも１本の低速信号用電線が含まれ、
前記低速信用号電線は絶縁電線であり、
前記二対の高速信号用電線の間に前記絶縁電線を挟むように、各電線が並列されていることが好ましい。
この構成によれば、二対の高速信号用電線の相互における信号のクロストークを抑制することができる点で好ましい。
【００１２】
（４）また、上記（１）から（３）に記載の接続部材付き多心ケーブルは、前記第二電線群において、二対の高速信号用電線及び少なくとも１本の低速用信号用電線が含まれ、
前記低速信号用電線は絶縁電線であり、
前記二対の高速信号等電線の間に前記絶縁電線を挟むように、各電線が並列されていることが好ましい。
この構成によれば、二対の高速信号用電線の相互における信号のクロストークを抑制することができる点で好ましい。
【００１３】
（５）また、上記（１）から（４）に記載の接続部材付き多心ケーブルにおいて、前記第一接続部材は、前記複数本の電線の前記一端側に電気的に直接接続された中継基板と、前記中継基板に電気的に接続されるレセプタクルと、を含むことが好ましい。
この構成によれば、複数本の電線の一端側と中継基板とが電気的に直接接続されるので、複数本の電線の配列が容易となり、接続部材付き多心ケーブルの製造が容易となる。
【００１４】
〈本発明の実施形態の詳細〉
本発明の実施態様に係る接続部材付き多心ケーブルの具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。
【００１５】
〈接続部材付き多心ケーブルの概要〉
図１は、接続部材付き多心ケーブル１の概要を示す斜視図である。本実施形態に係る接続部材付き多心ケーブル１は、例えば、電子機器（図示省略）の内部において、高速信号を含む信号を送る伝送用電線として用いることができる。接続部材付き多心ケーブル１は、図１に示すように、第一接続部材２と、複数本の電線３と、第二接続部材４とを含んでいる。なお、図１に示すＵ、Ｄ、Ｆ、Ｂ、Ｒ、Ｌは、接続部材付き多心ケーブル１における方向を示すものであり、Ｕは上方、Ｄは下方、Ｆは前方、Ｂは後方、Ｒは右方、Ｌは左方である。
【００１６】
第一接続部材２は、電線３の前方Ｆ（一端）側に電気的に直接接続された中継基板５と、中継基板５に電気的に接続されるレセプタクル６とを含んでいる。
レセプタクル６は、ピン保持板６１を有している。ピン保持板６１は、電子機器の信号を電子機器の外部に対して入出力する複数のコンタクトピン６２を有している。
【００１７】
第二接続部材４は、電線３の後方Ｂ（他端）側に電気的に接続されている。第二接続部材４は、基板７を介して、電子機器本体に接続される。基板７は、接続部材である第二接続部材４と接続される被接続部材の一例である。
【００１８】
中継基板５と第二接続部材４の間において、複数本の電線３は、図１に示すように、上下方向に薄く、断面が扁平な形状となるように配列された多心ケーブルの形態を成している。この多心ケーブルは、上下方向における多心ケーブルの厚みを減らすことが出来る点で好適である。
【００１９】
複数本の電線３は、複数本の信号用電線３１ａ、３１ｂ、３２ａ、３２ｂと、複数本の給電用電線３１ｐ、３２ｐと、を含んでいる。複数本の電線３は、それぞれ、第一接続部材２の上面または下面に接続されている。中継基板５の上面に接続される第一電線群３０Ａは、高速信号用電線３１ａ及び低速信号用電線３１ｂが並列されている。第一電線群３０Ａは、高速信号用電線３１ａ、３２ａの一部及び低速信号用電線３１ｂ、３２ｂの一部が並列されている。
中継基板５の下面に接続される第二電線群３０Ｂは、高速信号用電線３２ａ及び低速信号用電線３２ｂが並列されている。第二電線群３０Ｂは、高速信号用電線３１ａ、３２ａの他部及び低速信号用電線３１ｂ、３２ｂの他部が並列されている。
中継基板５の上面に接続される第一給電線群３０Ｃは、複数本の給電用電線３１ｐである。第一給電線群３０Ｃは、複数本の給電用電線３１ｐ、３２ｐの一部の群である。
中継基板５の下面に接続される第二給電線群３０Ｄは、複数本の給電用電線３２ｐである。第二給電線群３０Ｄは、複数本の給電用電線３１ｐ、３２ｐの他部の群である。給電用電線には絶縁電線を使用することが好ましい。給電用電線には信号用電線よりも導体断面積の大きい電線を使用することが好ましい。
【００２０】
第一給電線群３０Ｃ、第二給電線群３０Ｄ、第一電線群３０Ａ及び第二電線群３０Ｂは、第二接続部材４の一方の面に、並列されて接続される。第二接続部材４のこの構成により、接続部材（第二接続部材４）と被接続部材（基板７などの電子機器の内部部材）との接続を容易にすることができ、好適である。
【００２１】
図２は、第二接続部材４及び中継基板５における複数本の電線３の配列について、接続部材付き多心ケーブル１の上面側から見た概略平面図である。中継基板５の下面５４については、上面側から透視した状態を上面５１と並べて図示している。また、図２は、中継基板５に接続されるレセプタクル６のピン保持板６１についても示している。図３は、中継基板５における電線３の配列を、図１に示す矢視Ａ方向（第二接続部材４側）から見た模式図である。
【００２２】
図２に、第一電線群３０Ａ、第二電線群３０Ｂ、第一給電線群３０Ｃ及び第二給電線群３０Ｄの配列の詳細を示す。図２に示すように、第一接続部材２の中継基板５及び第二接続部材４に、それぞれ、偶数対（本例では四対）の高速信号用電線３１ａ、３２ａと、複数本（本例では８本）の低速信号用電線３１ｂ、３２ｂと、複数本（本例では６本）の給電用電線３１ｐ、３２ｐと、が接続されている。偶数対の高速信号用電線３１ａ、３２ａは同軸電線である。偶数対の高速信号用電線３１ａ、３２ａは、高速の差動信号を伝送するために２本一対の同軸電線対から構成されている。低速信号用電線３１ｂ、３２ｂは、同軸電線または絶縁電線である。
【００２３】
中継基板５及び第二接続部材４における電線３の配列について、より詳細に説明する。
【００２４】
〈中継基板５の配列例〉
図２に示すように、中継基板５の一面側（例えば上面５１）における後方Ｂ側（第二接続部材４側）には、上面５１の右方Ｒ側から左方Ｌ側に向けて、順に、複数の接点５２ｐ、５２ｐ、５２ｐ、５２ｇ、５２ａ、５２ａ、５２ｂ、５２ｂ、５２ｂ、５２ｂ、５２ａ、５２ａが一列に配置されている。上面５１には第一電線群３０Ａが接続されている。接点５２ａには高速信号用電線３１ａが電気的に接続されている。接点５２ｂには低速信号用電線３１ｂが電気的に接続されている。接点５２ｐには給電用電線３１ｐが電気的に接続されている。接点５２ｇは接地用のグランド端子である。グランド端子である接点５２ｇを配列することにより、中継基板５の上面５１において、高速信号用電線３１ａに対して給電用電線３１ｐからノイズが乗ることを抑制している。
【００２５】
中継基板５の上面５１における前方Ｆ側（レセプタクル６側）には、上面５１の右方Ｒ側から左方Ｌ側に向けて、順に、複数の接点５３ｇ、５３ａ、５３ａ、５３ｐ、５３ｂ、５３ｂ、５３ｂ、５３ｂ、５３ｐ、５３ａ、５３ａ、５３ｇが一列に配置されている。
【００２６】
また、中継基板５の他面側（例えば下面５４）には、下面５４の右方Ｒ側から左方Ｌ側に向けて、順に、複数の接点５５ｐ、５５ｐ、５５ｐ、５５ｇ、５５ａ、５５ａ、５５ｂ、５５ｂ、５５ｂ、５５ｂ、５５ａ、５５ａが一列に配置されている。下面５４には第二電線群３０Ｂが接続されている。接点５５ａには高速信号用電線３２ａが電気的に接続されている。接点５５ｂには低速信号用電線３２ｂが電気的に接続されている。接点５５ｐには給電用電線３２ｐが電気的に接続されている。接点５５ｇは接地用のグランド端子である。グランド端子である接点５５ｇを配列することにより、中継基板５の下面５４において、高速信号用電線３２ａに対して給電用電線３２ｐからノイズが乗ることを抑制している。
【００２７】
中継基板５の下面５４における前方Ｆ側（レセプタクル６側）には、下面５４の右方Ｒ側から左方Ｌ側に向けて、順に、複数の接点５６ｇ、５６ａ、５６ａ、５６ｐ、５６ｂ、５６ｂ、５６ｂ、５６ｂ、５６ａ、５６ａ、５６ｇが一列に配置されている。
【００２８】
図３に、中継基板５を図１の矢視Ａから（第二接続部材４側から）見た模式図を示す。図３に示す例において、低速信号用電線３１ｂ、３２ｂは、それぞれ、一対の同軸電線と２本の同軸電線である。図３に示すように、中継基板５の上面５１に、第一給電線群３０Ｃ及び第一電線群３０Ａが隣り合うように並列されている。より詳細には、上面５１に、右方Ｒから左方Ｌに向かって順に、３本の給電用電線３２ｐ、一対の高速信号用電線３１ａ、１本の低速信号用電線３１ｂ、一対の低速信号用電線３１ｂ、１本の低速信号用電線３１ｂ、一対の高速信号用電線３１ａが配置されている。また、中継基板５の下面５４には、第二電線群３０Ｂ及び第二給電線群３０Ｄが隣り合うように並列されている。より詳細には、下面５４に、右方Ｒから左方Ｌに向かって順に、３本の給電用電線３２ｐ、一対の高速信号用電線３２ａ、１本の低速信号用電線３２ｂ、一対の低速信号用電線３２ｂ、１本の低速信号用電線３２ｂ、一対の高速信号用電線３２ａが配置されている。
【００２９】
図３に示すように、中継基板５の上面５１の電線３１ｐ、３１ａ、３１ｂの配列順と下面５４の電線３２ｐ、３２ａ、３２ｂの配列順とは同じであり、上下の位置も同じ（重なる位置）である。言い換えると、中継基板５の上面５１の電線３１ｐ、３１ａ、３１ｂの配列順と下面５４の電線３２ｐ、３２ａ、３２ｂの配列順とは、中継基板５を挟んで上下方向に鏡面対称となるように配置されている。
【００３０】
図２に戻り、中継基板５の上面５１において、その右方Ｒ側に、３本の給電用電線３１ｐが配列されている。上面５１において、一対の高速信号用電線３１ａ、４本の低速信号用電線３１ｂ及び一対の高速信号用電線３１ａと、３本の給電用電線３１ｐとの間には、接地用のグランド接点５２ｇがあるのみで、他の電線が配列されていない。
中継基板５の下面５４においても、その右方Ｒ側に、３本の給電用電線３２ｐが配列されている。下面５４において、一対の高速信号用電線３２ａ、４本の低速信号用電線３２ｂ及び一対の高速信号用電線３２ａと、３本の給電用電線３２ｐとの間には、接地用のグランド接点５５ｇがあるのみで、他の電線が配列されていない。
【００３１】
このように、給電用電線３１ｐ（第一給電線群３０Ｃ）は、中継基板５の上面５１において、高速信号用電線３１ａ及び低速信号用電線３１ｂ（第一電線群３０Ａ）に隣り合うように並列されて接続されている。また、給電用電線３２ｐ（第二給電線群３０Ｄ）は、中継基板５の下面５４において、高速信号用電線３２ａ及び低速信号用電線３２ｂ（第二電線群３０Ｂ）に隣り合うように並列されて接続されている。
【００３２】
第一給電線群３０Ｃ及び第二給電線群３０Ｄは、第一接続部材２に対して、複数本の電線３の並列方向における同じ側（一方側）にまとめて接続される。また、第一給電線群３０Ｃと第二給電線群３０Ｄは、第二接続部材４に対して、相互に交差せずに、上面４１に接続されている。このため、給電用電線３１ｐ、３２ｐが輻輳することが無く、接続部材付き多心ケーブル１を製造し易くなり、使い易くなる。また、第一給電線群３０Ｃと第二給電線群３０Ｄは、接続部材付き多心ケーブル１の上下方向に重なりがないため、接続部材付き多心ケーブル１の厚さを薄くすることができる。
【００３３】
また、給電用電線３１ｐ（第一給電線群３０Ｃ）は、第一接続部材２（中継基板５）の上面５１に対して、複数本の電線３１ｐの並列方向における一方側（右方Ｒ側）にまとめて接続されている。給電用電線３２ｐ（第二給電線群３０Ｄ）も、第一接続部材２（中継基板５）に対して、複数本の電線３２ｐの並列方向における一方側（右方Ｒ側）にまとめて接続されている。
上記の構成により、給電用電線３１ｐ、３２ｐを、ひとまとまりに配列させて接続させることができる。
【００３４】
また、中継基板５の上面５１において、図２に示すように、右方Ｒから左方Ｌに向けて、右方Ｒ側の一対の高速信号用電線３１ａと４本の低速信号用電線３１ｂとが隣り合うように並列されて配列されている。また、この４本の低速信号用電線３１ｂと左方Ｌ側の一対の高速信号用電線３１ａとが隣り合うように並列されて配列されている。すなわち、二対の高速信号用電線３１ａは、４本の低速信号用電線３１ｂを挟むように並列されている。
中継基板５の下面５４においても、右方Ｒから左方Ｌに向けて、右方Ｒ側の一対の高速信号用電線３２ａと４本の低速信号用電線３２ｂとが隣り合うように並列されて配列されている。また、この４本の低速信号用電線３２ｂと左方Ｌ側の一対の高速信号用電線３２ａとが隣り合うように並列されて配列されている。すなわち、二対の高速信号用電線３２ａは、４本の低速信号用電線３２ｂを挟むように並列されている。
【００３５】
このように、中継基板５において、高速信号用電線３１ａ、３２ａは、それぞれ、複数本の低速信号用電線３１ｂ、３２ｂを挟むように並列されている。この構成により、上面５１において一対の高速信号用電線３１ａから延びる回路と別の一対の高速信号用電線３１ａから延びる回路とが離れて配列される。このため、これらの回路の間で相互にノイズが乗ることを抑制することができる。下面５４においても同様に、二対の高速信号用電線３２ａから延びる回路の間で相互にノイズが乗ることを抑制することができる。
更に、低速信号用電線３１ｂ、３２ｂを絶縁電線とすれば、二対の高速信号用電線から延びる回路の間でのノイズをより抑制することができる。
【００３６】
中継基板５は、上面５１のレセプタクル６側（前方Ｆ側）に、二つの接点５３ｐが設けられている。また、中継基板５は、上面５１の第二接続部材４側（後方Ｂ側）に、三つの接点５２ｐが設けられている。接点５３ｐと接点５２ｐは、上面５１に形成された電気回路（図示省略）により電気的に接続されている。中継基板５は、上面５１と同様に、下面５４のレセプタクル６側（前方Ｆ側）に、二つの接点５６ｐが設けられている。中継基板５は、下面５４の第二接続部材４側（後方Ｂ側）に、三つの接点５５ｐが設けられている。接点５６ｐと接点５５ｐは、下面５４に形成された電気回路（図示省略）により電気的に接続されている。
この構成により、中継基板５を伝わる給電用の電流を大きくすることができる。
【００３７】
〈レセプタクル６の配列例〉
レセプタクル６は、中継基板５の上面５１に対応する上部接続部及び中継基板５の下面５４に対応する下部接続部を有するピン保持板６１を有している。レセプタクル６のピン保持板６１には、中継基板５の前方Ｆ側の接点５３ａ，５３ｂ，５３ｐ、５６ａ，５６ｂ，５６ｐに対応する複数のコンタクトピン６２が一列に配置されている。なお、図２において、中継基板５の上面５１及び下面５４に対するピン保持板６１の各コンタクトピン６２の接続関係を、実線で示している。
ピン保持板６１の上部接続部の各接点には、中継基板５を介して、高速信号用電線３１ａ、低速信号用電線３１ｂ及び給電用電線３１ｐが電気的に接続されている。ピン保持板６１の下部接続部の各接点も、上部接続部と同様に、中継基板５を介して、高速信号用電線３２ａ、低速信号用電線３２ｂ及び給電用電線３２ｐが電気的に接続されている。
【００３８】
レセプタクル６における複数のコンタクトピン６２の配列は、レセプタクル６に接続される外部コネクタの電気的な接続の規格に応じて定められている。中継基板５の各接点５２ａ，５２ｂ，５２ｐ、５５ａ，５５ｂ，５５ｐの配列を、レセプタクル６のコンタクトピン６２の配列と異ならせることにより、複数本の電線３１ａ、３１ｂ、３１ｐ、３２ａ、３２ｂ、３２ｐの配列を任意の配列とすることができる。この任意の配列を製造上容易な配列順とすることにより、接続部材付き多心ケーブル１の製造作業が容易となる。
【００３９】
〈第二接続部材４の配列例〉
図２に示すように、第二接続部材４の一方の面（例えば上面４１）には、複数の接点４２ａ，４２ｂ，４２ｐ、４３ａ，４３ｂ，４３ｐが一列に配列されている。
三つの接点４２ｐには、第一給電線群３０Ｃが電気的に接続されている。接点４２ｐには、それぞれ、給電用電線３１ｐが接続されている。三つの接点４３ｐには、第二給電線群３０Ｄが電気的に接続されている。接点４３ｐには、それぞれ、給電用電線３２ｐが接続されている。接点４２ａ及び４２ｂには、第一電線群３０Ａが電気的に接続されている。接点４２ａには、それぞれ、高速信号用電線３１ａが接続されている。接点４２ｂには、それぞれ、低速信号用電線３１ｂが接続されている。
接点４３ａ、４３ｂには、第二電線群３０Ｂが電気的に接続されている。接点４３ａには、それぞれ、高速信号用電線３２ａが接続されている。接点４３ｂには、それぞれ、低速信号用電線３２ｂが電気的に接続されている。
すなわち、給電用電線３１ｐ、３２ｐの全部（第一給電線群３０Ｃ及び第二給電線群３０Ｄ）、高速信号用電線３１ａ、３２ａの全部及び低速信号用電線３１ｂ、３２ｂの全部（第一電線群３０Ａ及び第二電線群３０Ｂ）が、一方の面４１に並列されて接続されている。
【００４０】
ここで、第二接続部材４において、給電用電線３１ｐ、３２ｐの全部が、第二接続部材４の左右方向の一方側（図２における右方Ｒ側）にまとめて配列されている。すなわち、第一給電線群３０Ｃ及び第二給電線群３０Ｄは、第二接続部材４の上面４１に、第一電線群３０Ａ及び第二電線群３０Ｂに隣り合うように、複数本の電線３１ｐ、３２ｐの並列方向における一方側（右方Ｒ側）に並列されて接続されている。
このように、第一給電線群３０Ｃ及び第二給電線群３０Ｄを第二接続部材４の上面４１の一方側にまとめて配列することにより、第二接続部材４の先の図示しない回路（機器の基板上の回路等）で、給電用の回路をまとめて取り回すことができて好適である。
【００４１】
また、第一給電線群３０Ｃと第二給電線群３０Ｄとが隣り合って配列される。また、第一電線群３０Ａと第二電線群３０Ｂとが隣り合って配列される。すなわち、第一給電線群３０Ｃと第二給電線群３０Ｄを第一電線群３０Ａと第二電線群３０Ｂから離して配列されている。この配列により、第二接続部材４上で、給電用電線３１ｐ、３２ｐから延びる回路から生じるノイズの影響を高速信号用電線３１ａ，３２ａから延びる回路に与えにくくなり、好適である。
【００４２】
また、第二接続部材４において、二対の高速信号用電線３１ａは、４本の低速信号用電線３１ｂを挟むように並列されている。また、二対の高速信号用電線３２ａは、４本の低速信号用電線３２ｂを挟むように並列されている。この構成により、高速信号用電線３１ａ、３２ａの相互に対する信号のクロストークを抑制することができる。
更に、低速信号用電線３１ｂ、３２ｂを絶縁電線とすれば、高速信号用電線３１ａ、３２ａの相互に対する信号のクロストークをより抑制することができる。
【００４３】
以上、説明した本実施形態にかかる接続部材付き多心ケーブル１によれば、第一給電線群３０Ｃは、中継基板５の上面５１に、第一電線群３０Ａに隣り合うように並列されて接続される。第二給電線群３０Ｄは、中継基板５の下面５４に、第二電線群３０Ｂに隣り合うように並列されて接続される。第一給電線群３０Ｃは、第二接続部材４の上面４１に、第二給電線群３０Ｄに隣り合うように並列されて接続されている。このため、接続部材（第二接続部材４）と被接続部材（基板７などの電子機器の内部部材）との接続を容易にすることができる。また、中継基板５の上面５１に接続された第一電線群３０Aと、中継基板５の下面５４に接続された第二電線群３０Bは、第二接続部材４の一方の面４１に並列されて接続されるので、各電線３が輻輳することがない。このため、接続部材２、４、５と電線３の接続を容易にすることができる。
【００４４】
また、第一給電線群３０Ｃは第二給電線群３０Ｄに隣り合うように並列されて接続されるので、接続部材付き多心ケーブル１における電力を供給し易くなり、好適である。また、給電用電線３１ｐ、３２ｐがまとめて配列されるため、給電用電線３１ｐと給電用電線３２ｐとが輻輳することが無い。このため、給電用電線３１ｐ、３２ｐの配列が容易となり、接続部材付き多心ケーブル１を製造し易く、使い易くなる。
【００４５】
また、第一電線群３０Ａと第二電線群３０Ｂとが第二接続部材４の一方の面４１に互いに隣り合うように並列されて接続されるので、第一電線群３０Ａ及び第二電線群３０Ｂを配列し易くなり、接続部材付き多心ケーブル１を製造し易くなる。
【００４６】
また、上記構成により、第一給電線群３０Ｃ及び第二給電線群３０Ｄが接続される基板上またはコネクタ上の回路は、第一電線群３０Ａ及び第二電線群３０Ｂ（信号線）が接続される基板上またはコネクタ上の回路と離れている。このため、第一電線群３０Ａ及び第二電線群３０Ｂ（信号線）に乗るノイズを抑えることができ、良好に信号を伝送することが可能となる。
【００４７】
また、複数本の電線３の前方Ｆ側と中継基板５とは、電気的に直接接続される。このため、複数本の電線３の配列が容易となり、接続部材付き多心ケーブル１の製造が容易となる。
【００４８】
なお、本発明は、上述した実施形態に限定されず、適宜、変形、改良等が自在である。その他、上述した実施形態における各構成要素の材質、形状、寸法、数値、形態、数、配置場所、等は本発明を達成できるものであれば任意であり、限定されない。
【００４９】
例えば、上記実施形態の接続部材付き多心ケーブル１では、第一接続部材２を中継基板５及びレセプタクル６を含む構成例で説明したが、第一接続部材はこの構成に限らない。例えば、第一接続部材を一つの基板により構成してもよい。
また、上記実施形態において、給電用電線３１ｐ、３２ｐは、第一接続部材２の右方Ｒに接続され、かつ、第二接続部材４の右方Ｒに接続される例を説明したが、本発明の電線３の配列はこの構成に限らない。給電用電線３１ｐ、３２ｐは、第一接続部材２の右方Ｒ側に接続され、第二接続部材４の左方Ｌ側に接続されていてもよい。
【００５０】
また、図３において、中継基板５の上面５１及び下面５４に、それぞれ、２本の低速信号用電線３１ｂと一対の低速信号用電線３１ｂとを配列する例を説明したが、第一接続部材２における信号線の配列は上記した例に限らない。第一接続部材は、上面及び下面に少なくとも１本の給電用電線及び複数本の信号用電線を配列すればよい。例えば、第一接続部材の上面及び下面に、二対の高速信号用電線（同軸電線）と、この二対の高速信号用電線の間に挟まれる４本の低速信号用電線（絶縁電線）とを配列し、この高速信号用電線及び低速信号用電線に隣り合う位置に複数本の給電用電線を配列してもよい。
【符号の説明】
【００５１】
１  接続部材付き多心ケーブル
２  第一接続部材
３  電線
３０Ａ  第一電線群
３０Ｂ  第二電線群
３０Ｃ  第一給電線群
３０Ｄ  第二給電線群
３１ａ、３２ａ  高速信号用電線
３１ｂ、３２ｂ  低速信号用電線
３１ｐ、３２ｐ  給電用電線
４  第二接続部材
４１  上面（一方の面）
４２ａ、４２ｂ、４２ｐ、４３ａ、４３ｂ、４３ｐ  （第二接続部材４の）接点
５  中継基板（第一接続部材）
５１  上面（一面側）
５２ａ、５２ｂ、５２ｇ、５２ｐ、５３ａ、５３ｂ、５３ｇ、５３ｐ  （上面５１の）接点
５４  下面（他面側）
５５ａ、５５ｂ、５５ｇ、５５ｐ、５６ａ、５６ｂ、５６ｇ、５６ｐ  （下面５４の）接点
６  レセプタクル
６１  ピン保持板
６２  コンタクトピン
７  基板
【図１】
2019110048.tif 000003
【図２】
2019110048.tif 000004
【図３】
2019110048.tif 000005